(57)【特許請求の範囲】
【請求項１】
繊維表面を有する弾性的な複合材を製造するための方法において、
弾性的なカバー層（２，２’）と不織布材から成るコア（３）とを備える積層体（１）が製造され、この積層体（１）が、次いで、コア（３）を引き裂くことによって、それぞれカバー層（２，２’）と不織布材から成る付着性の層（５）とを備える２つのストリップ（４，４’）に分離されることを特徴とする方法。
【請求項２】
ストリップ（４，４’）が、別々に把持され、張力を加えることによって引き離されることを特徴とする請求項１に記載の方法。
【請求項３】
ストリップ（４，４’）が、駆動されるロールを介して案内され、別々に巻き取られることを特徴とする請求項１又は２に記載の方法。
【請求項４】
コア（３）の引裂きが、分離面に配設されたカッタ（１０）によって支援されることを特徴とする請求項１〜３のいずれか１つに記載の方法。
【請求項５】
積層体（１）を製造するために、コア（３）を構成する不織布材ウェブ（６）が、カバー層（２，２’）を構成する弾性的な２つのフィルムウェブ（７）間に積層されることを特徴とする請求項１〜４のいずれか１つに記載の方法。
【請求項６】
不織布材ウェブ（６）と弾性的なフィルムウェブ（７）が接着されることを特徴とする請求項５に記載の方法。
【請求項７】
積層体（１）のコア（３）が、メルトブロー不織布から成ることを特徴とする請求項１〜６のいずれか１つに記載の方法。
【請求項８】
積層体（１）のコア（３）のために、ＳＭＳ層構造を有する多層の不織布材が使用され、このＳＭＳ層構造が、スパンボンド不織布（Ｓ）から成る外層と、メルトブロー繊維（Ｍ）から成る中央の不織布層とを備えることを特徴する請求項１〜６のいずれか１つに記載の方法。
【発明の詳細な説明】
【技術分野】
【０００１】
本発明は、繊維表面を有する弾性的な複合材を製造するための方法に関する。
【背景技術】
【０００２】
繊維表面を有する弾性的な複合材は、特に、ベビー用オムツ、失禁用用品、婦人用衛生用品等の例えばテープ又は弾性的なバックシートとして製造するために使用される。これらを適用する場合には、安価に製造する必要のある繊維表面が重要になる。この場合、繊維表面は、フィルムの弾性を損なってはならない。
【０００３】
弾性的な支持フィルムと、積層される不織布材とから成る複合材が公知である。不織布材料は、複合材の伸縮特性に決定的な影響を与える剛構造を構成する。従って、弾性的な支持フィルムと、積層される不織布材とから成る複合材は、積層工程後に、局所的にストレッチさせることによって機械的に活性化しなければならない。
【０００４】
特許文献１から、メルトブロー不織布から成る層が形成され、予め強化させないで弾性的なフィルムに接着される、繊維表面を有する弾性的な複合材を製造するための方法が公知である。不織布層は、この方法の場合、巻取り及び巻解きされず、引張り応力下での不織布層のガイドが行なわれない。従って、不織布層は、小さい強度と、特に小さい単位面積重量を有するように構成することができ、複合材の弾性的な伸縮を強く妨げることはない。従って、この複合材は、後からの機械的な活性化を必要としない。但し、繊維層の繊維と弾性的なフィルム間の結合強度は、未だ満足すべきものではない。十分に非固定の繊維を有するように処理されるので、全ての繊維を十分に接着剤マトリクス内に固定することは、保証されていない。繊維が、意図せずに結合部から剥がれ、ユーザによって取り去られることがある。
【先行技術文献】
【特許文献】
【０００５】
【特許文献１】欧州特許出願公開第２  １７７  ６５４号明細書
【発明の概要】
【発明が解決しようとする課題】
【０００６】
この技術的な背景から、本発明の根底にある課題は、高い伸縮能力によって際立ち、その繊維表面が、複合材の使用時に結合部から剥がれない非固定の繊維を含まない、繊維表面を有する複合材を製造するための方法を提供することにある。
【課題を解決するための手段】
【０００７】
本発明の対象及び課題の解決策は、請求項１に記載の方法である。本発明による方法では、先ず、弾性的なカバー層と不織布材から成るコアとを備える積層体が製造される。この積層体は、次いで、コアを引き裂くことによって、それぞれカバー層と不織布材から成る付着性の層とを備える２つのストリップに分離される。この方法は、繊維表面の繊維が、不織布材に拘束され、不織布材から成るコアを引き裂く時に、結合部から容易に剥がれ可能な自由な繊維が生じないとの利点を有する。若干強化させた不織布材が使用される。強化の程度は、例えばカレンダー加工強化を適用する場合、後から機械的な活性化をせずに複合材が弾性的に伸縮可能であり、カバー層の弾性によって伸縮特性が影響を受けるように、調整することができる。
【０００８】
積層体を分離させるために、ストリップは、特に、別々に把持され、張力を加えることによって引き離される。ストリップは、駆動されるロールを介して案内し、別々に巻き取ることができる。本発明の範囲内で、分離工程が、ストリップの弾性的なカバー層の機械的な活性化と結合され、しかも、これは、排出時の弾性的なカバー層の伸縮によって、結合される。ストリップの排出と巻取り時、ストリップは、適当な装置によって、横方向及び／又は長手方向にストレッチさせることができる。特に、ストリップは、排出方向に対して横のストリップの過剰ストレッチを行なうプロフィル付きロールを介して案内することもできる。これにより、複合材の伸縮特性に影響を与え、更に改善することができる。
【０００９】
不織布材の引裂きは、分離面に配設されたカッタによって支援することができる。
【００１０】
弾性的なカバー層と不織布材から成るコアを有する積層体は、種々の方法で製造可能である。特に、不織布材は、カバー層を構成する弾性的な２つのフィルムウェブ間に積層される。しかしながら、弾性的な層を押出し成形により不織布材上に形成する押出し成形式積層も考えられる。
【００１１】
弾性的なカバー層は、特に、２０μｍ〜１００μｍの層厚さを備え、スチロール−ブロック−コポリマー又は熱可塑性のポリオレフィン−エラストマから成っていてもよい。モノフィルム以外に、多層に共有押出しされたフィルムも使用することができる。特に、穴を開けたもしくは通気性の弾性的なフィルムも、カバー層のために考えられる。通気性の弾性的なフィルムを使用する場合、複合材に、重要なこの特性が得られる。弾性的なフィルムの代わりに、基本的に、十分に引張り強度を有する弾性的な不織布材も使用することができる。
【００１２】
不織布材と弾性的なフィルムウェブもしくは弾性的なカバー層は、特に、互いに接着され、特にポリウレタン接着剤とホットメルト接着剤が適している。接着剤は、面状又は模様で、例えば点状に、塗布することができる。好ましいのは、面状の接着剤の塗布であり、溶剤を含まない単一成分のポリウレタン接着剤（１−Ｋ−ＰＵＲ）を使用する場合、接着剤の塗布は、１ｇ／ｍ２〜２．５ｇ／ｍ２の塗布量で十分である。ホットメルト接着剤を使用する場合は、一般的に、３ｇ／ｍ２〜５ｇ／ｍ２の高い塗布量が必要になる。
【００１３】
積層体のコアを構成し、製造方法の過程で引き裂かれる不織布材は、特に、メルトブロー不織布から成る。メルトブロー不織布の繊維は、押出し成形によって製造され、通常は、押出し成形ノズルの相並んで配設された複数の穴から流出する。押出し成形ノズルを出た直後に、穴から流出する溶融液状のポリマーストランドは、圧縮空気の作用を受け、引き延ばされる。メルトブロー繊維は、これが、非常に細く、僅かな単位面積重量でも既に、弾性的なカバー層の均一の良好なカバーを保証し、特に柔らかい外観をしていることによって、際立っている。不織布は、特に、ポリオレフィン繊維、特にポリプロピレン繊維から成る。メルトブロー不織布は、本発明による方法にとって、簡単に強化され、５ｇ／ｍ２〜２０ｇ／ｍ２の単位面積重量で使用することができる。例えばカレンダー加工強化による強化の程度は、複合材の所望の伸縮特性に適合される。
【００１４】
不織布材として、スパンボンド不織布（Ｓ）から成る外層とメルトブロー繊維（Ｍ）から成る中間の不織布層とを備えるＳＭＳ層構造（ｓｐｕｎ−ｍｅｌｔ−ｓｐｕｎ）を有する多層の不織布材も使用することができる。スパンボンド不織布とメルトブロー不織布の層の組み合わせは、不織布材に、流れ方向（ＭＤ方向）に高い強度を与える。予め強化された積層体を引き裂く場合、メルトブロー不織布から成るコア層内の不織布材が分離される。分離面がメルトブロー不織布から成るコア層を経て延在する場合、積層体の引裂きによって分離されるストリップの材料厚さと単位面積重量が、狭い公差内に一定に維持されることが、確認された。高い品質を有する、特に非常に高価値の繊維表面を有する複合材ストリップが生じる。
【００１５】
他の不織布材は、本発明による方法にとって、同様に使用可能である。但し、例えば毛羽立った不織布が積層体のコア層として使用される場合には、繊維表面の品質は悪くなる。
【００１６】
本発明による方法により製造された複合材は、衛生用品のため、例えばベビー用オムツと失禁用用品の一部又は閉鎖要素のために適している。更に、本発明による方法により、衛生用品の範囲外に適用するためのいわゆるソフトタッチフィルムも製造することができる。
【００１７】
以下で、ただ１つの実施例を図示した図面に基づいて本発明を説明する。
【図面の簡単な説明】
【００１８】
【図１】繊維表面を有する弾性的な複合材を製造するための方法を概略的に示す。
【図２】図１に図示した方法で半製品として製造された積層体の断面図を概略的に示す。
【図３】図１に対して拡大して、図２に図示した半製品の分離を概略的に示す。
【発明を実施するための形態】
【００１９】
図１に図示した方法は、ベビー用オムツ、失禁用用品等のソフトタッチフィルム又は弾性的な要素として使用することができる、繊維表面を有する弾性的な複合材を製造するために役立つ。この方法では、第１のステップで、半製品として、弾性的なカバー層２，２’と不織布材から成るコア３とを備える積層体１が製造される。図２は、半製品の層構造を示す。次いで、積層体１は、それぞれカバー層２，２’と不織布材５から成る付着性の層とを備える２つのストリップ４，４’に分離される。ストリップ４，４’は、後からの機械的な活性化をせずに弾性的な複合材として使用することができるそれぞれ１つのプロセス製品を構成する。
【００２０】
コア３は、メルトブロー不織布から成るか、スパンボンド不織布から成る外層とメルトブロー繊維から成る中間の不織布層とを有する多層構造を備える。コア３を構成する不織布材ウェブ６は、弾性的な２つのフィルムウェブ７間に積層され、フィルムウェブ７と接着される。接着剤８は、特に面状に、フィルムウェブ７の不織布材に隣接した面に塗布される。接着剤８として、ポリウレタン接着剤又はホットメルト接着剤を使用することができる。
【００２１】
積層体１は、コア３を引き裂くことによって２つのストリップ４，４’に分離される。ストリップ４，４’は、別々に把持され、張力を加えることによって引き離される。図１によれば、ストリップ４，４’は、排出装置９の駆動されるロールを介して案内され、別々に巻き取られる。オプションで、排出装置９は、ストリップ４，４’を横方向に伸縮させ、これにより機械的に活性化させるストレッチ装置と組み合わせることができる。
【００２２】
コア３の引裂きは、分離面に配設されたカッタ１０によって支援することができる。
【００２３】
図２と３を比較してみると、本発明による方法により、弾性的な複合材、即ち、弾性的な支持体と繊維表面を備えるストリップ４，４’が製造されることが分かる。弾性的な支持体は、積層体１のカバー層２，２’から構成され、複合材に、その機械的特性を与える。繊維構造は、積層体１のコア３に使用される不織布材に依存している。その繊維が細く、分離時に高価値の繊維表面を構成するメルトブロー不織布から成る不織布層を分離することが好ましい。半製品を構成する積層体１を製造するため、軽く強化した不織布が処理される。後続のステップで不織布を分離することにより、複合材の使用時に剥がれてしまう自由な繊維は生じない。不織布材コア３を分離する際に、材料厚さとその単位面積重量に関して狭い公差限度内で一定の値を備えるストリップ４，４’が構成される。
【符号の説明】
【００２４】
１          積層体
２，２’    カバー層
３          コア
４，４’    ストリップ
５          不織布材
６          不織布材ウェブ
７          フィルムウェブ
８          接着剤
９          排出装置
１０        カッタ
【図１】
0005921867.tif 000002
【図２】
0005921867.tif 000003
【図３】
0005921867.tif 000004